(57)【要約】      （修正有）【課題】高い安定性及び高度の機能性を備えるキーの構造を提供する。【解決手段】主に、ディスプレイメカニズム１と、複数の交差支持フレーム２と、透光カバー体３と、弾性部材４とからなる。上述の構造により、使用者が透光カバー体の表面を通して基部のディスプレイメカニズムを検視した後、透光カバー体を押下することによって複数の交差支持フレームと透光カバー体が押し下げられる。それにより透光カバー体が少なくとも一つの弾性部材に接触し、弾性部材がディスプレイメカニズムの表示内容を起動させ、透光カバー体を開放すると、弾性部材によって交差支持フレームと透光カバー体は弾性回復される。従って、交差支持フレームによって押下時に透光カバー体が水平に保たれ、安定した状態で垂直に押し下げられる。また、透光カバー体は基部のディスプレイメカニズムを直視することができ、押下動作によって表示内容が起動される。【選択図】図２
0003209181.tif 000002
【実用新案登録請求の範囲】
【請求項１】
ディスプレイメカニズムと、
前記ディスプレイメカニズムの縁に可動式に設けられた交差支持フレームと、
前記交差支持フレームを挟んで反対側に設けられるとともに、前記ディスプレイメカニズムを直視できる透光カバー体と、
前記ディスプレイメカニズムの少なくとも一側に設けられるとともに、前記透光カバー体を垂直に往復運動させて前記ディスプレイメカニズムの表示?容を起動させる少なくとも一つの弾性部材と、
からなることを特徴とする、キーの構造。
【請求項２】
前記弾性部材は、弾性キャップ体と、前記弾性キャップ体?に少なくとも一つ形成されるとともに前記ディスプレイメカニズムを押下するための接触部とを備えることを特徴とする、請求項１に記載のキーの構造。
【請求項３】
前記ディスプレイメカニズムは、表示画面と、前記表示画面に設けられるとともに前記弾性部材の動作を検出する検出モジュールと、を備えることを特徴とする、請求項１に記載のキーの構造。
【請求項４】
前記交差支持フレームは、第一支持アームと、前記第一支持アームに枢設された第二支持アームとを備えることを特徴とする、請求項１に記載のキーの構造。
【請求項５】
前記弾性部材は、前記ディスプレイメカニズム一側を囲むように設けられることを特徴とする、請求項１に記載のキーの構造。
【考案の詳細な説明】
【技術分野】
【０００１】
本考案はキーの構造に関し、特に、パンタグラフによって押下動作の安定性を向上させるとともに、ディスプレイ式のキー機能を備えるキーの構造に関する。
【背景技術】
【０００２】
キーボードは日常生活において非常に頻繁に触れる物であり、それに対する要求もますます高くなっている。その見た目の良さだけではなく、押下時の感触、動作バランス及びキーボードの機能など、すべての面で完璧に近いものが要求されている。
【０００３】
操作者がキーボードカバーを押下した際、必ずしもキーボードカバーの中心にちょうどよく力が入るわけではないため、押下時にキーボードカバーが傾く現象が起こりやすい。それによって正確に入力できなくなるだけではなく、不適切な操作ゆえにキースイッチの損傷を引き起こしてしまう。キーの動きを安定させるため、一般にはキーキャップ及び底板の間にパンタグラフ構造を設けることによって、キーキャップの上下運動を安定させ、それにより押下時の感触及び押下動作の安定感を高めている。
【０００４】
キーの機能性に関して言うと、一般的にはキーキャップに標示されている機能しかなく、たとえ組み合わせた部品の機能を加えたとしても限界がある。キーの機能性を高めるために、現在存在するキーボードと表示画面を結合したモニターキーでは、前記表示画面の表示内容を変更することで前記キーの機能を変えている。それにより、単一のキーの機能を大幅に増加させ、キーの機能性を更に高めている。
【０００５】
しかしながら、上述のモニターキーを使用する時、下記の問題と欠陥が存在するため、改善が待たれる。
一、    モニターキーが安定不良または不適切な操作ゆえに度々画面が損傷する。
二、    パンダグラフとモニターキーを統合して使用する例がまだ見られない。
【考案の概要】
【考案が解決しようとする課題】
【０００６】
本考案は、ディスプレイ式キーとパンタグラフの支持構造を統合して使用することができるとともに、高い安定性及び高度の機能性を備えるキーの構造を提供することを目的とする。
【課題を解決するための手段】
【０００７】
上述の目的を達成するために、本考案は、主に、ディスプレイメカニズムと、ディスプレイメカニズムの縁に可動式に複数設けられた交差支持フレームと、交差支持フレームを挟んでディスプレイメカニズムの反対側に設けられディスプレイメカニズムを直視できる透光カバー体と、ディスプレイメカニズムの少なくとも一側に設けられた少なくとも一つ弾性部材と、からなる。弾性部材は透光カバー体を垂直に往復させ、ディスプレイメカニズムの表示内容を起動させ、使用者が本考案を操作する際に、直接透光カバー体の表面から下層のディスプレイメカニズムまで透視できるようにする。また、交差支持フレームの作用によって、透光カバー体を押下した時、透光カバー体が水平且つ垂直に押し下げられ、透光カバー体の押下動作が安定する。透光カバー体が押し下げられ弾性部材を押えつける時に、  弾性部材が連動してディスプレイメカニズムに接触し、同時にディスプレイメカニズムの表示?容の対応動作を起動させることで、本考案のキーにおけるさらに多様な機能性を提供する。最後に弾性部材によって透光カバー体及び交差支持フレームを弾性回復させる。
【考案の効果】
【０００８】
上述した技術により、従来の画面キーに存在していたキー操作の不安定さ及び損傷しやすい画面という問題点を解決して、上述した利点による実用進歩性を達成する。
【図面の簡単な説明】
【０００９】
【図１】本考案の実施例の斜視図である。
【図２】本考案の実施例の分解図である。
【図３】本考案の実施例の図１のＡ−Ａ線断面図である。
【図４】本考案の実施例の使用状態を示した図である。
【図５】本考案の実施例の動作を示した図である。
【図６】本考案の実施例の実施図である。
【図７】本考案の別の実施例の構造の概略図である。
【考案を実施するための形態】
【００１０】
図１、図２、及び図３はそれぞれ、本考案の好ましい実施例の斜視図、分解図、及び図１のＡ−Ａ線断面図である。図から分かるように本考案はディスプレイメカニズム１と、複数の交差支持フレーム２と、透光カバー体３と、少なくとも一つの弾性部材４とからなる。
【００１１】
ディスプレイメカニズム１には、表示画面１１、及び表示画面１１の上に設けられた下記で詳述する弾性部材４の動作を検出する検出モジュール１２が設けられる。
【００１２】
交差支持フレーム２は、ディスプレイメカニズム１の側辺に可動式に複数設けられるとともに、第一支持アーム２１と、第一支持アーム２１に枢設された第二支持アーム２２とからなる。
【００１３】
透光カバー体３は、交差支持フレーム２を挟んでディスプレイメカニズム１の反対側に設けられるとともに、ディスプレイメカニズム１を直接見ることができる。
【００１４】
弾性部材４は、ディスプレイメカニズム１の少なくとも一側に設けられ、それにより、透光カバー体３が垂直に往復運動して、ディスプレイメカニズム１の表示内容を起動させる。また、弾性部材４は、弾性キャップ体４１と、弾性キャップ体４１内に形成されるとともにディスプレイメカニズム１を押下する少なくとも一つの接触部４２と、からなる。
【００１５】
上述の説明により理解できる構造の組み合わせにより、ディスプレイ式のキーとパンタグラフの支持構造を統合して使用することが可能になり、同時に高い安定性及び高度な機能性等の優位性を兼ね備えさせることができる。以下で詳細な解説を述べる。
【００１６】
図１から図６（本考案の実施例の斜視図、分解図、図１のＡ−Ａ線断面図、使用状態図、動作概略図、及び実施概略図）を合わせて参照する。図から分かる通り、上述の構成要素を組み合わせた時、本考案の最も下層に位置するのがディスプレイメカニズム１であるゆえに、使用者が押下した際、押下の動作に伴いディスプレイメカニズム１が上下に動くことはなく、従来のモニターキーと違い、傾くことによる損傷が起こりにくい。さらに、表示画面１１の真上は完全に穴があけられた状態であり、弾性部材４、及び交差支持フレーム２（いわゆるパンタグラフ）は全てディスプレイメカニズム１の外側に設けられているため、透光カバー体３を通し表示画面１１を検視する使用者の視野に影響を与えない。
【００１７】
キーの押下動作は以下の通りである。まず使用者が透光カバー体３を通して表示画面１１に表示された?容を確認した後、透光カバー体３を押下し、透光カバー体３を交差支持フレーム２と共に下に沈ませる。交差支持フレーム２には相互框設された第一支持アーム２１と第二支持アーム２２が設けられているため、二本の支持アームが共に透光カバー体３の両側を支えることで、透光カバー体３を水平に且つ安定して垂直に押し下げる。透光カバー体３が弾性部材４の位置まで押し下げられた時、弾性部材４も一緒に押されて、弾性部材４の弾性キャップ体４１が変形して弾力が蓄積される。また、弾性部材４の接触部４２がこの時点でディスプレイメカニズム１の検出モジュール１２にまで接触し、検出モジュール１２が透光カバー体３、及び接触部４２の押下動作を検出すると、表示画面１１の表示内容の対応機能が起動され、最後に使用者が透光カバー体３を開放すると、弾性部材４の弾性キャップ体４１が透光カバー体３及び交差支持フレーム２に弾性回復力を提供するため、透光カバー体３は再び交差支持フレーム２の作用により水平に上に移動する。このようにして、一回のキー押下動作が完成する。
また、この押下動作は高い安定性と機能性の実用進歩性を備えている。
【００１８】
加えて図７（本考案のもう一つの実施例の構造の概略図）を合わせて参照する。図から分かる通り、本実施例と上述の実施例はほぼ同じであり弾性部材４Ａがディスプレイメカニズム１Ａ一側を囲むように設けられる点だけが異なる。この構造により、弾性部材４Ａの弾性回復力が向上するとともに、反発する時に平均的に力が加わることで、透光カバー体Ａの押下感触を良くし、押下動作の安定性及び全体の使用寿命を向上させる。
【００１９】
本考案のキーの構造が、従来の技術を改善できるポイントは以下２点である。
一、 ディスプレイ式のキーとパンタグラフの支持構造を統合して使用することができるとともに、高い安定性及び高度の機能性を備える。
二、  構造全体の使用寿命を向上させることができる。
【符号の説明】
【００２０】
１、１Ａ  ディスプレイメカニズム    
１１      表示画面
１２      検出モジュール    
２        交差支持フレーム    
２１      第一支持アーム
２２      第二支持アーム    
３、３Ａ  透光カバー体    
４、４Ａ  弾性部材
４１      弾性キャップ体    
４２      接触部    
【図１】
0003209181.tif 000003
【図２】
0003209181.tif 000004
【図３】
0003209181.tif 000005
【図４】
0003209181.tif 000006
【図５】
0003209181.tif 000007
【図６】
0003209181.tif 000008
【図７】
0003209181.tif 000009
【手続補正書】
【提出日】平成28年12月22日(2016.12.22)
【手続補正１】
【補正対象書類名】実用新案登録請求の範囲
【補正対象項目名】請求項１
【補正方法】変更
【補正の内容】
【請求項１】
ディスプレイメカニズムと、
前記ディスプレイメカニズムの縁に可動式に設けられた交差支持フレームと、
前記交差支持フレームを挟んで反対側に設けられるとともに、前記ディスプレイメカニズムを直視できる透光カバー体と、
前記ディスプレイメカニズムの少なくとも一側に設けられるとともに、前記透光カバー体を垂直に往復運動させて前記ディスプレイメカニズムの表示内容を起動させる少なくとも一つの弾性部材と、
からなることを特徴とする、キーの構造。
【手続補正２】
【補正対象書類名】実用新案登録請求の範囲
【補正対象項目名】請求項２
【補正方法】変更
【補正の内容】
【請求項２】
前記弾性部材は、弾性キャップ体と、前記弾性キャップ体内に少なくとも一つ形成されるとともに前記ディスプレイメカニズムを押下するための接触部とを備えることを特徴とする、請求項１に記載のキーの構造。